(57)【要約】【課題】多数の紙コップを重ねて積み上げる場合には、これらの紙コップの間には間隔が発生しなく、多数の紙コップの全体のスペースが低減になり、紙コップの輸送コストを低減することができる紙コップを提供する。【解決手段】コップ形状に成形されるコップ本体と、その環状エッジに沿って凸縁が上へ凸設され、前記凸縁にて前記コップ本体の底部に固定されるコップ底と、を含むことを特徴とする紙コップ。【選択図】図２
0003135235.tif 000002
【実用新案登録請求の範囲】
【請求項１】
コップ形状に成形されるコップ本体と、
その環状エッジに沿って凸縁が上へ凸設され、前記凸縁にて前記コップ本体の底部に固定されるコップ底と、を含むことを特徴とする、紙コップ。
【請求項２】
前記コップ底の底部には支立部が設けてあり、前記支立部の中央には円形な窪みが凹設してあり、前記窪みの周縁には環状凸縁が凸設してあり、前記コップ底の支立部は前記環状凸縁にてテーブルなどの上で放置可能であることを特徴とする、請求項１に記載の紙コップ。
【請求項３】
前記コップ底の底部には支立部が設けてあり、前記支立部の周縁に若干の凸点が等距離に凸設してあり、前記コップ底の支立部は前記凸点にてテーブルなどの上で放置可能であることを特徴とする、請求項１に記載の紙コップ。
【請求項４】
前記コップ本体の底部の内側に前記コップ本体の凸縁を固定可能にするために、前記コップ本体の底部よりも小さいように前記コップ底が成形されることを特徴とする、請求項１に記載の紙コップ。
【請求項５】
前記コップ本体の底部の外側に前記コップ本体の凸縁を固定可能にするために、前記コップ本体の底部よりも大きいように前記コップ底が成形されることを特徴とする、請求項１に記載の紙コップ。
【考案の詳細な説明】
【技術分野】
【０００１】
本考案は、紙コップに係り、特に、紙コップのコップ本体の底部をコップ底の底部に貼り付け可能にすることにより、多数の紙コップを重ねて積み上げる場合には、これらの紙コップの間には間隔が発生しなく、多数の紙コップの全体のスペースが低減になり、紙コップの輸送コストを低減することができる紙コップに関するものである。
【背景技術】
【０００２】
まず、図１を参照する。従来の紙コップ１０は、図１に示すように、コップ本体１１と、コップ底１２とを含み、前記コップ本体１１の底部が内側へ湾折されて連接部１１１になり、なお、前記コップ底１２の底部の周縁には下に向いている凸縁１２１が凸設してあり、前記コップ本体１１の連接部１１１に前記コップ底１２の凸縁１２１を挟み込んで熱溶融法にてそれらを結合すると、従来の紙コップが完成した。
【考案の開示】
【考案が解決しようとする課題】
【０００３】
しかしながら、従来の紙コップ１０によれば、紙コップ１０は、前記コップ本体１１の連接部１１１に前記コップ底１２の凸縁１２１を挟み込んで熱溶融法にてそれらを結合して紙コップ１０を構成すると、前記連接部１１１と前記コップ底１２との下には立設環状エッジ１１２が形成され、そすうると、多数の紙コップ１０を重ねて積み上げる場合には、前記立設環状エッジ１１２により、これらの紙コップ１０の間には間隔が発生してしまい、多数の紙コップの全体のスペースが膨大になり、紙コップの輸送コストを低減することができない欠点がった。
【課題を解決するための手段】
【０００４】
上記目的を達成するためになされた本願の考案は、コップ形状に成形されるコップ本体と、その環状エッジに沿って凸縁が上へ凸設され、前記凸縁にて前記コップ本体の底部に固定されるコップ底と、を含むことを特徴とする紙コップであることを要旨としている。
【０００５】
本願の考案では、前記コップ底の底部には支立部が設けてあり、前記支立部の中央には円形な窪みが凹設してあり、前記窪みの周縁には環状凸縁が凸設してあり、前記コップ底の支立部は前記環状凸縁にてテーブルなどの上で放置可能であることを特徴とする請求項１に記載の紙コップであることを要旨としている。
【０００６】
本願の考案では、前記コップ底の底部には支立部が設けてあり、前記支立部の周縁に若干の凸点が等距離に凸設してあり、前記コップ底の支立部は前記凸点にてテーブルなどの上で放置可能であることを特徴とする請求項１に記載の紙コップであることを要旨としている。
【０００７】
本願の考案では、前記コップ本体の底部の内側に前記コップ本体の凸縁を固定可能にするために、前記コップ本体の底部よりも小さいように前記コップ底が成形されることを特徴とする請求項１に記載の紙コップであることを要旨としている。
【０００８】
本願の考案では、前記コップ本体の底部の外側に前記コップ本体の凸縁を固定可能にするために、前記コップ本体の底部よりも大きいように前記コップ底が成形されることを特徴とする請求項１に記載の紙コップであることを要旨としている。
【考案の効果】
【０００９】
本考案の紙コップによれば、コップ底がその凸縁にてコップ本体の底部に固定され、これにより、紙コップが構成され、そうすると、紙コップのコップ本体の底部がコップ底の底部に貼り付け可能になり、その間にスペースが発生しなくなり、だから、多数の紙コップを重ねて積み上げる場合には、これらの紙コップの間には間隔が発生しなく、多数の紙コップの全体のスペースが低減になり、紙コップの輸送コストを低減することができる効果を有する。
【考案を実施するための最良の形態】
【００１０】
以下、添付図面を参照して本考案の好適な実施の形態を詳細に説明する。
【００１１】
まず、図２と図３を参照する。本考案の実施例１の紙コップは、コップ本体２０と、コップ底３０と、を含む。
【００１２】
前記コップ本体２０は、下から上に徐々に拡径するコップ形状のものに成形され、その頂底部には上下開放端２１，２２がそれぞれ設けてあり、前記上開放端２１の周縁にはユーザの唇と接触するために上縁２１１が設けてあり、前記下開放端２２の周縁には連接部２２１が設けてある。
【００１３】
前記コップ底３０は、前記コップ本体２０の底部の連接部２２１の直径よりもやや小さい円形に成形され、その周縁には上に突出する凸縁３１が凸設してあり、熱溶融法により前記凸縁３１が前記コップ本体２０の連接部２２１の内側に結合され、また、前記コップ底３０の底部には支立部３２が設けてあり、前記支立部３２の中央には円形な窪み３２１が凹設してあり、前記窪み３２１の周縁には環状凸縁３２２が凸設してあり、前記コップ底３０の支立部３２は前記環状凸縁３２２にてテーブルなどの上で放置可能である。
【００１４】
次に、図３を参照しながら本考案の使用状態を詳細に説明する。前記コップ底３０はその凸縁３１にてコップ本体２０の底部の連接部２２１に固定され、これにより、紙コップが構成され、そうすると、コップ本体２０の底部の連接部２２１がコップ底３０の底部に貼り付け可能になり、その間にスペースが発生しなくなり、だから、多数の紙コップを重ねて積み上げる場合には、これらの紙コップの間には間隔が発生しなく、多数の紙コップの全体のスペースが低減になり、紙コップの輸送コストを低減することができ、また、前記コップ底３０には環状凸縁３２２を有する支立部３２が設けてあり、前記コップ底３０の環状凸縁３２２により、紙コップはテーブルなどの上で安定に放置可能である。
【００１５】
次に、図４を参照しながら本考案の実施例２を詳細に説明する。本考案の実施例２の紙コップは、主な構成が実施例１と同じであるが、実施例１と相違な箇所は、前記コップ本体２０の連接部２２１の外側に前記コップ底４０に凸設される凸縁４１を固定可能にするために、前記コップ本体２０の底部よりも大きいように前記コップ底４０が成形され、そうすると、紙コップの構造が構成され、そして前記コップ底４０の底部には支立部４２が設けてあり、前記支立部４２の周縁に三つの凸点４２１が等距離に凸設してあり、前記コップ底４０前記凸点４２１により、紙コップはテーブルなどの上で安定に放置可能である。
【図面の簡単な説明】
【００１６】
【図１】従来の紙コップの断面図である。
【図２】本考案の実施例１の外観斜視図である。
【図３】本考案の実施例１の断面図である。
【図４】本考案の実施例２の断面図である。
【符号の説明】
【００１７】
１０      紙コップ
１１      コップ本体
１２      コップ底
２０      コップ本体
２１      上開放端
２２      下開放端
３０      コップ底
３１      凸縁
３２      支立部
４０      コップ底
４１      凸縁       
４２      支立部
１１１    連接部
１１２    立設環状エッジ
１２１    凸縁       
２１１    上縁
２２１    連接部
３２１    窪み
３２２    環状凸縁
４２１    凸点
【図１】
0003135235.tif 000003
【図２】
0003135235.tif 000004
【図３】
0003135235.tif 000005
【図４】
0003135235.tif 000006